(57)【特許請求の範囲】
【請求項１】
調理器本体と、
前記調理器本体の下方に設けられる蹴込み部と、
前記蹴込み部の前面部に設けられる扉とを備え、
前記扉は、下扉と上扉とからなり、
前記下扉は、前記蹴込み部の両側下端部に、上下に位置する２つの取付位置で取り付けられる構成とし、
下に位置する取付位置で取り付けたときには、前記下扉の下端は設置床面に近接するとともに、
上に位置する取付位置で取り付けたときには、前記下扉の下端と前記設置床面との間にフローリング等の敷設物の厚みに応じた隙間が生じる位置関係とし、
前記扉はその高さを伸縮可能としたことを特徴とする床置型調理器。
【請求項２】
前記蹴込み部の両側下端部に前記下扉を支持するためのブラケットを各々設け、
前記ブラケット又は前記下扉のどちらか一方に回動軸を突設させるとともに、
前記ブラケット又は前記下扉のどちらか他方に前記回動軸が挿通する軸孔を形成し、
前記回動軸又は前記軸孔の少なくとも一方を上下に２つ形成し、
前記軸孔に前記回動軸を挿通させることにより設定される上下２つの回動支点が、前記２つの取付位置となることを特徴とする請求項１に記載の床置型調理器。
【請求項３】
前記回動軸は、前記ブラケット又は前記下扉のどちらか一方に設けられた螺孔に螺合されるネジ軸としたことを特徴とする請求項２に記載の床置型調理器。
【請求項４】
前記軸孔を２つ形成し、前記各軸孔は、縦溝で連結される水平方向に伸びる横溝を介して連続する構成としたことを特徴とする請求項２又は３に記載の床置型調理器。
【請求項５】
前記軸孔に挿通させた前記回動軸が前記横溝内で水平方向に移動しないための移動防止手段を設けた請求項４に記載の床置型調理器。
【請求項６】
前記移動防止手段を、前記横溝から垂下する垂下溝とし、その下端に前記軸孔を設ける構成とした請求項５に記載の床置型調理器。
【請求項７】
前記蹴込み部の両側下端部に前記下扉を支持するためのブラケットを各々設け、
前記ブラケット又は前記下扉のどちらか一方に１本の回動軸を突設させるとともに、前記ブラケット又は前記下扉のどちらか他方に前記回動軸が挿通する軸孔としての上下方向に伸びる長孔を形成し、前記回動軸を前記長孔内の任意な位置で位置決めする位置決め手段を設けたことを特徴とする請求項１に記載の床置型調理器。
【請求項８】
前記位置決め手段は、前記長孔と交差する上辺部及び下辺部と、前記上辺部及び下辺部間に設けられ且前記回動軸が挿通可能な軸挿通部とを備えた軸孔体と、
前記軸孔体を前記長孔に沿った任意の位置で固定できる固定手段とからなることを特徴とする請求項７に記載の床置型調理器。
【発明の詳細な説明】
【０００１】
【発明の属する技術分野】
この発明は床置型調理器、特に、システムキッチンに組み込まれる床置型調理器に関するものである。
【０００２】
【従来の技術】
一般に、システムキッチンに組み込まれる床置型調理器(10)は、図１０に示すように、オーブン等の調理器本体(1) と、前記調理器本体(1) の下方に形成される蹴込み部(11)と、その前方を被覆する扉(3) とから構成されている。
扉(3) は、その両側部下端が、調理器本体(1) の外枠部(2) の下端に軸支又はビス止めにより取り付けられており、扉(3) を開けることにより、蹴込み部(11)が開放されて器具本体と元管の接続工事ができる。
【０００３】
尚、一般的に、扉(3) は、上扉(3a)と下扉(3b)とからなり、上扉(3a)は、下扉(3b)に対して上下にスライド可能に取り付けられているため、扉(3) の全体の高さを伸縮させることができる。よって、システムキッチンのカウンタートップ(51)の高さに応じて、床置型調理器(10)の高さを調節する必要がある時には、扉(3) 全体の高さを伸縮させることにより対応することができる。
【０００４】
このような床置型調理器をコンクリート床面(5) に設置したとき、図１１に示すように、下扉(3b)の下方には、フローリングのために通常１５ｍｍの隙間(S) が形成される。
【０００５】
【発明が解決しようとする課題】
この場合、床置型調理器をコンクリート床面(5) に設置した後に、下扉(3b)の下方にまでフローリング材(50)を敷く場合は問題はない。しかしながら、下扉(3b)の前面に相当する程度までしかフローリングがなされていない状態で他の厨房家具が設置されている場合に、これを取り外して、そのあとに、上記したような床置型調理器を配設すると、前記フローリング材(50)が下扉(3b)の下方にまで及ばないので、前記隙間(S) にコンクリート面(5) が見えてしまい、外観上見苦しいという問題がある。
【０００６】
これは、コンクリート面(5) にＰタイルが張られている場合も同じである。
扉(3) の下方に上記したような隙間ができた場合、従来では、コンクリート面(5) を隠蔽するために、図１２に示すような断面Ｌ字状の保護カバー(55)を別途用意し、これをビス止めしていた。
しかしながら、これでは、床置型調理器(10)の取り付け現場でコンクリート面(5) が見えることがわかった時点で前記保護カバー(55)を別途取り寄せなければならない場合もあり、取り付け作業の効率が悪い。さらに、部品が一つ増えるため、手間も経費も余分にかかるという問題がある。
【０００７】
上記不都合を解消する為には、扉(3) の取り付け位置を、扉(3) の下方に隙間が生じないような位置にしておくと良い。しかしながら、設置床面が予めフローリングされている場合、前記扉(3) の下端がフローリング材(50)に当接し、床置型調理器(10)の取り付けに支障を来すという不都合がある。
本発明は、『調理器本体と、前記調理器本体の下方に形成される蹴込み部と、前記蹴込み部の前面部に設けられる扉とを備えた』床置型調理器を、設置床面の仕様状態にかかわらず、余分な部品を必要とすることなく、前記扉の下方に余分な隙間を生じさせずに設置できるようにするとともに、器具設置後にフローリング等の敷設物を敷く場合でも支障を来すことがないようにすることを課題とする。
【０００８】
【課題を解決するための手段】
前述した課題を解決するために講じた本発明の解決手段は、『前記扉は、下扉と上扉とからなり、前記下扉は、前記蹴込み部の両側下端部に、上下に位置する２つの取付位置で取り付けられる構成とし、下に位置する取付位置で取り付けたときには、前記下扉の下端は設置床面に近接するとともに、上に位置する取付位置で取り付けたときには、前記下扉の下端と前記設置床面との間にフローリング等の敷設物の厚みに応じた隙間が生じる位置関係とし、前記扉はその高さを伸縮可能としたこと』を特徴としたものである。
【０００９】
上記解決手段は次のように作用する。
前記下扉は、前記蹴込み部の両側下端部への取付位置を上下に変更できるようにして、下扉の下端とコンクリート面等の設置床面との距離を調節できるようにしたから、設置床面に例えばフローリング等の敷設物が敷設されている場合は、上に位置する取付位置で下扉を取り付けて、下扉の下方に、前記敷設物の厚みに応じた隙間を生じさせておくことができる。又、下に位置する取付位置に下扉を取り付ければ、下扉の下端が前記設置床面に近接するように取り付けることができるので、蹴込み部の範囲にフローリング等がない場合でも、蹴込み部の下方のコンクリート面が見えにくくなる。
【００１０】
前記下扉の取付位置を変えると、扉の上端から、蹴込み部の上面までの距離に変動が生じるが、前記扉はその高さを伸縮可能であるから、例えば、下扉の上端から調理器本体までの距離に応じて上扉を上下に摺動させて、扉全体の高さを調整することにより対応することができる。
尚、前記下扉の取付位置は、２つに限定されることはなく、上下方向に複数設ける構成としても良い。
【００１１】
【発明の効果】
本発明は、上記構成であるから次の特有の効果を有する。
フローリング等の敷設物の有無に応じて、前記下扉の取付位置を上下に調整することができるようにしたから、前記したような床置型調理器を設置するとき、前記扉の下端が既設の前記敷設物に当接して扉の取り付け又は開閉に支承が生じる不都合も、前記扉の下端にコンクリート面が見えて外観上見苦しいといった不都合も解消される。又、これら調整は現場で随時行えるから、取り付け作業の効率が良くなり、さらに、コンクリート面を隠蔽するための他の部品を別途用意する必要もないから、経費的にも節約できる上に、前記他の部品を別途取り付ける手間も省くことができる。
【００１２】
［その他］
＜ａ項＞
上記発明において、『前記蹴込み部の両側下端部に前記下扉を支持するためのブラケットを各々設け、前記ブラケット又は前記下扉のどちらか一方に回動軸を突設させるとともに、前記ブラケット又は前記下扉のどちらか他方に前記回動軸が挿通する軸孔を形成し、前記回動軸又は前記軸孔の少なくとも一方を上下に２つ形成し、前記軸孔に前記回動軸を挿通させることにより設定される上下２つの回動支点が、前記２つの取付位置となる』ようにしたものでは、ブラケット又は下扉のどちらか一方に設けた回動軸を、ブラケット又は前記下扉のどちらか他方に設けた軸孔に挿通させることにより、下扉をブラケットに回動自在に軸支させることができる。
【００１３】
前記回動軸とそれを挿通させる軸孔の組み合わせを変えることにより、前記扉は、ブラケットを介して、上下２つの回動支点で回動自在に軸支されることとなる。この回動軸及び軸孔は、請求項１の場合と同様、２つに限定されるものではない。
このものでは、フローリング等の敷設物がある場合には、前記回動支点が前記上に位置する取付位置となるように、前記軸孔と前記回動軸とを選択し、所定の軸孔に所定の回動軸を挿通させれば、前記下扉の下方にフローリング等の敷設物の厚み分の隙間が生じるように扉を取り付けることができる。
【００１４】
又、回動支点が前記下に位置する取付位置となるように、所定の軸孔に所定の回動軸を挿通させれば、前記下扉の下端はコンクリート面に近接するように取り付けることができる。
このように、床面のフローリング等の敷設物の有無に応じて、所定の軸孔に所定の回動軸を挿通させるだけで、前記扉の下端とコンクリート面との距離が適切に設定された状態に前記扉を取り付けることができるから、前記扉の下端のコンクリート面からの高さ調整が容易に行えるという効果がある。又、扉の開閉が容易に行えるという効果もある。
＜ｂ項＞
又、前記ａ項において、『前記回動軸は、前記ブラケット又は前記下扉のどちらか一方に設けられた螺孔に螺合されるネジ軸とした』ものでは、ブラケット又は下扉のどちらか一方に螺孔が、他方に軸孔が設けられ、前記ネジ軸を前記軸孔を介して前記螺孔に螺合させることにより、下扉をブラケットに回動自在に取り付ける構成としたものである。尚、少なくとも軸孔は上下に２つ形成されており、設置床面の使用態様に応じて、前記ネジ軸を挿通させる前記軸孔を選択することにより、下扉をブラケットに上下２つの回動支点でネジ自在に軸支させることができる。このものでは、ブラケット及び下扉に、螺孔又は軸孔をそれぞれ形成するだけで２つの取付位置を得るように構成することができるから、ブラケット及び下扉の製作が容易となる。
＜ｃ項＞
前記ａ項において、『前記軸孔を２つ形成し、前記各軸孔は、縦溝で連結される水平方向に伸びる横溝を介して連続する構成とした』ものでは、２つ又はそれ以上の軸孔は連結しているから、前記回動軸又はネジ軸を取り外すことなく、回動軸又はネジ軸を挿通させる軸孔を変更することができる。よって、下扉の取付位置の選択・変更を容易に行うことができる。
＜ｄ項＞
前記ｃ項において、『前記軸孔に挿通させた前記回動軸が前記横溝内で水平方向に移動しないための移動防止手段を設け』ておけば、前記横溝内を不用意に移動することがないので、取り付けられた前記扉ががたつく不都合はない。
＜ｅ項＞
さらに、『前記移動防止手段を、前記横溝から垂下する垂下溝とし、その下端に前記軸孔設ける構成とした』ものでは、前記回動軸を前記垂下溝の下端に設けた軸孔に挿通させると、前記回動軸は前記垂下溝の両側部に挟まれて左右に移動することがなく、又、その自重により上方に浮き上がることもない。よって、前記垂下溝が、前記ｄ項の移動防止手段として機能することとなる。
＜ｆ項＞
前記発明において、『前記蹴込み部の両側下端部に前記下扉を支持するためのブラケットを各々設け、前記ブラケット又は前記下扉のどちらか一方に１本の回動軸を突設させるとともに、前記ブラケット又は前記下扉のどちらか他方に前記回動軸が挿通する軸孔としての上下方向に伸びる長孔を形成し、前記回動軸を前記長孔内の任意な位置で位置決めする位置決め手段を設けた』ものでは、前記回動軸を長孔に挿通させるとともに前記長孔内を上下に移動させて、前記下扉の下端が、設置床面の仕様に応じて、前記設置床面から適切な距離だけ離れた位置となるように、その取付位置を決定し、位置決め手段により位置決めする。前記回動軸は、前記長孔内の任意な位置で位置決めすることができるから、前記下扉の取付位置の微調整が可能となる。
＜ｇ項＞
前記ｆ項において、『前記位置決め手段は、前記長孔と交差し且前記回動軸が挿通可能な間隔を置いて上下に対向する上辺部及び下辺部を有する軸孔体と、前記軸孔体を前記長孔に沿った任意の位置で固定できる固定手段とからなる』ものが採用可能である。この場合、前記長孔に沿って位置させた前記軸孔体の上辺部と下辺部との間に回動軸を挿通させると、前記回動軸は、上下方向には、前記上辺部及び下辺部が当接し、前記回動軸の上下左右への移動は阻止される。よって、前記軸孔体を固定手段により、前記長孔に沿った所定位置で固定することにより、前記回動軸は、前記長孔内の所定位置に位置決めされることとなる。これにより、前記下扉の取付位置を任意に決定することができることとなる。
【００１５】
【発明の実施の形態】
以下、本願発明の実施の形態を、図示例と共に説明する。
図１は、本発明の第１番目の実施の形態の床置型調理器における調理器本体(1) の下方に設けられた蹴込み部(11)を被覆している扉(3) の構造を示す、内部構造を省略した断面図である。調理器本体(1) は、その外枠部(2) に収容保持されてコンクリート面(5) に設置されている。
【００１６】
この実施の形態の扉(3) は、上扉(3a)と下扉(3b)とに分割され、上扉(3a)の両側壁には、その上下端近傍にまで伸びるガイド溝(30)が開削されており、下扉(3b)の両側壁の上端には、前記ガイド溝(30)内に挿通可能な軸部(32)が突出するガイド板(33)が設けられている。軸部(32)をガイド溝(30)内に挿通させて、ガイド溝(30)に沿って軸部(32)を上下に移動させることにより、上扉(3a)は下扉(3b)に対して上下方向に摺動自在となり、扉(3) の全体の高さが伸縮自在となる。
【００１７】
上扉(3a)の上端部の内方端には、係止爪(31)が垂下しており、これが対応する外枠部(2) の所定位置に形成した垂下壁の下端には、前方へ向かって斜め上方へ突出する引掛部(29)が形成されている。係止爪(31)と引掛部(29)とは、上扉(3a)を蹴込み部(11)の奥方へ少し持ち上げながら押し込むことにより係合し、上扉(3a)を少し持ち上げて前方へ引っ張ることにより前記係合は解除される関係となっている。尚、上扉(3a)の上端と調理器本体(1) との係止手段は、その一方に取り付けられたマグネットと他方に取り付けられた吸着板のようなものでも良い。
【００１８】
外枠部(2) の両側下端には、下扉(3b)の両側下端を外側から回動自在に支持するブラケット(22)が取り付けられている。
この実施の形態のブラケット(22)には、上下に位置する２つの軸孔(20)(21)が開口されており、下扉(3b)の下端近傍には、回動軸(35)が溶接等で外方へ突設されている。尚、上に位置する上軸孔(20)と下に位置する下軸孔(21)とは、敷設物としてのフローリングの厚さに相当する約１５ｍｍの距離を離れて位置するように設定されている。
【００１９】
この回動軸(35)を、上軸孔(20)に挿通させると、図２の(a) に示すように、下扉(3b)の下端とコンクリート面(5) との間には、約１５ｍｍの隙間(S) が生じるように下扉(3b)を取り付けることができる。そこで、床置型調理器の設置後にフローリング材(50)等の敷設物を敷設する場合では、コンクリート面(5) の所定位置に調理器本体(1) を設置し、回動軸(35)を上軸孔(20)に挿通させて、下扉(3b)を外枠部(2) のブラケット(22)に取り付けた後に、前記ガイド板(33)の軸部(32)をガイド溝(30)に沿って上下に移動させ、係止爪(31)が引掛部(29)に対向する位置で、上扉(3a)の上端を蹴込み部(11)の奥方へ押し込んで係止爪(31)を引掛部(29)に係合させる。これにより、蹴込み部(11)の前面が扉(3) で被覆された構成の床置型調理器のコンクリート面(5) への設置が完了する。この設置状態では、上記したように、下扉(3b)の下端には、隙間(S) が形成された態様となるから、床置型調理器の設置後に、フローリング板(50)等の敷設物を、図１の二点鎖線に示すように、下扉(3b)の下方にまできっちりと敷設することができる。
【００２０】
予め、フローリング材(50)が、下扉(3b)の手前程度まで敷設されている場合では、下扉(3b)を上記取付位置で取り付けては、下扉(3b)の下方に隙間(S) からコンクリート面(5) が見えてしまう。そこで、このような場合では、図２の(b) に示すように、回動軸(35)を下軸孔(21)に挿通させる。すると、上軸孔(20)と下軸孔(21)とは上記したように約１５ｍｍ離れて位置するように設定されているから、下扉(3b)の下端に前記隙間(S) は生じなくなり、前記下扉(3b)の下端をコンクリート面(5) に近接させた状態で、扉(3) を取り付けることができる。これにより、下扉(3b)の下方にコンクリート面(5) が見えにくくなる。
【００２１】
尚、どちらの軸孔に回動軸(35)を挿通させて下扉(3b)を取り付けても、下扉(3b)はブラケット(22)に回動自在に軸支されることとなる。又、回動軸(35)をどちらの軸孔に挿通させるかによって、扉(3) の全体の高さは約１５ｍｍ伸縮することとなる。この伸縮は、上扉(3a)を下扉(3b)に対して上下方向に摺動させることにより行われ、下扉(3b)の取付位置が変わっても、蹴込み部(11)を扉(3) で覆うことができる。
【００２２】
図３に示すものは、回動軸と軸孔の変形例を示す要部斜視図であり、ブラケット(22)には、上記実施の形態のブラケット(22)と同様に、上下に２つの上軸孔(20)と下軸孔(21)が形成されているとともに、下扉(3b)の所定位置には１つの螺孔(34)が形成されている。上下各軸孔(20)(21)に挿通可能で且螺孔(34)に螺合可能な前記回動軸としての１本のネジ軸(36)により、ブラケット(22)に下扉(3b)を取り付ける構成としたものである。
【００２３】
下扉(3b)の下方に隙間(S) を設けた状態に下扉(3b)を取り付けたい場合は、ネジ軸(36)を、上軸孔(20)に挿通させた後に螺孔(34)に螺合させれば良く、下扉(3b)の下端をコンクリート面(5) に近接させて取り付けたい場合は、ネジ軸(36)を下軸孔(21)に挿通させた後に螺孔(34)に螺合させれば良い。
尚、同図の(20)(21)を螺孔とし、(34)を軸孔としても良い。
【００２４】
上記各実施の形態の上軸孔(20)と下軸孔(21)は、図４に示すように、縦溝(23)で連結された水平方向に伸びる横溝(24a)(24b)を介して連続する構成としても良い。同図のものは、横溝(24a)(24b)の、縦溝(23)に連通していない側の一端を垂下させて垂下部(25a)(25b)を設け、その垂下端を上軸孔(20)又は下軸孔(21)とする。これにより、上軸孔(20)又は下軸孔(21)に下扉(3b)に設けた回動軸(35)を挿通させておけば、扉を外すことなく、上位置又は下位置を選択できると共に、回動軸(35)は、水平方向に不用意に移動することがない上に、その自重により上方にも移動することがないので、上軸孔(20)と下軸孔(21)を別個に設けた場合と同様、上軸孔(20)又は下軸孔(21)に挿通させた回動軸(35)の位置は固定されることとなる。
【００２５】
横溝(24a)(24b)に上記したような移動防止手段としての垂下部(25a)(25b)を設けずに、挿通させた回動軸(35)の移動を防止する手段として、図５に示すような、縦溝(23)よりも長い移動防止板(26)を利用しても良い。移動防止板(26)の、横溝(24a)(24b)に対応する各位置には透孔が設けられている。この移動防止板(26)を、横溝(24a)(24b)の前記一端から回動軸(35)が挿通可能な間隔をおいて、横溝(24a)(24b)の一部を閉塞する態様に当てがい、前記透孔に締付ボルト(27)を挿通させ、ブラケット(22)の裏から、ナット（図示せず）を締め付ける。これにより、移動防止板(26)は締付ボルト(27)と前記ナットにより挟持されて、横溝(24a)(24b)上の所定位置で固定されることとなる。これにより、横溝(24a)(24b)のどちらか一方の一端に挿通された回動軸(35)は、移動防止板(26)によって水平方向の移動は阻止され、位置決めされることとなる。
【００２６】
尚、図５の想像線に示すように、ブラケット(22)に形成した１つの螺孔(37)に移動防止板(26)をネジ止めしても良い。これによれば、ネジを緩めて移動防止板(26)を回動させれば、上下軸孔(20)(21)が連通し、前記軸孔の選択・変更が可能となる。
図６に示す実施の形態のものは、ブラケット(22)に、前記軸孔として長孔(28)を形成したものである。このものでは、長孔(28)の任意な位置に、回動軸(35)を挿通させて固定させれば、隙間(S) の大きさを、コンクリート面(5) に敷設する敷設物の厚みに応じて、微調整することができる。回動軸(35)を長孔(28)の任意な位置に位置決めする位置決め手段としては、図７の(a) から(d) に示すような種々の位置決め板(4a)(4b)(4c)や位置決め具(4d)が採用可能である。
【００２７】
図７の(a) 及び(b) に示す位置決め板(4a)(4b)は、回動軸(35)が挿通可能な切欠(40a)(40b)が位置決め板(4a)(4b)の一辺へ開放するように形成されており、この切欠(40a)(40b)を介して対向する上辺部(43a) と下辺部(43b) が長孔(28)と交差する態様に位置決め板(4a)(4b)を長孔(28)の所定位置に当てがう。そして、図５に示したものと同様に、締付ボルト(27)とナット（図示せず）を螺合させることにより、位置決め板(4a)(4b)の上辺部(43a) と下辺部(43b) が長孔(28)の任意な位置に位置するように取り付けることができ、長孔(28)の両側辺部と、前記上辺部(43a) と下辺部(43b) とで囲まれた範囲が、軸挿通部となり、回動軸(35)を挿通させることができる。
【００２８】
尚、回動軸(35)の挿通位置を変えたい場合は、図７の(a) に示すものでは、締付ボルト(27)を緩めると共に長孔(28)に沿って位置決め板(4a)を上下に移動させれば良く、図７の(b) に示すものでは、締付ボルト(27)を緩めるとともに締付ボルト(27)を支点として、同図の二点鎖線に示すように回動させれば良い。
又、図７の(c) に示した位置決め板(4c)は、回動軸(35)を挿通させるための開口(40c) が形成されているもので、上記図７の(a) に示す位置決め板(4a)と同様に、締付ボルト(27)を締め付けることによって長孔(28)内の所定位置で固定させることができるとともに締付ボルト(27)を緩めて上下に移動させることにより、開口(40c) の位置を変えることができる。このものでは、開口(40c) の上円弧が前記上辺部、下円弧が下辺部として機能し、開口(40c) が軸挿通部として機能することとなる。
【００２９】
図７の(d) に示すものは位置決め具(4d)を長孔(28)に取り付けた状態を示す断面図である。位置決め具(4d)は、穴開きボルト(41)と、ナット(42)とからなり、穴開きボルト(41)には、長孔(28)の横幅よりも大きな鍔部(41a) が形成されているとともに、回動軸(35)が挿通可能な透孔(41b) が形成されている。このものでは、穴開きボルト(41)の軸部(41c) を、長孔(28)に挿通させ、長孔(28)内の所定位置でナット(42)を螺合させる。これにより、長孔(28)の周辺部が穴開きボルト(41)の鍔部(41a) とナット(42)とによって締め付けられ、位置決め具(4d)の長孔(28)上での位置は固定される。この場合、穴開きボルト(41)に設けられている透孔(41b) が回動軸(35)を挿通させる軸挿通部となる。
【００３０】
さらに、軸孔とそれに係合する回動軸との関係は、図８又は図９に示すようなものでも良い。
図８の(a) に示すものは、前記したような上下軸孔(20)(21)を、その各々からブラケット(22)の前方に向かって降下する傾斜溝(20a)(21a)を介してブラケット(22)の外方へ開放させる構成とするとともに、下扉(3b)の所定位置には、傾斜溝(20a)(21a)の幅よりも狭い断面厚さを有する断面略長方形状の回動軸(35)を、その長辺が下扉(3b)の上下方向に対して垂直（下扉(3b)の前後方向）となるように突設させたものである。前記ブラケット(22)に、下扉(3b)を取り付けるには、同図の二点鎖線に示すように、下扉(3b)を傾斜させて回動軸(35)の断面の長辺が、傾斜溝(20a)(21a)と平行に位置させ、その傾斜状態のまま、傾斜溝(20a)(21a)のどちらか一方に回動軸(35)を挿入させる。回動軸(35)が上軸孔(20)又は下軸孔(21)に達した時点で、下扉(3b)を蹴込み部(11)側へ回動させて上扉(3a)を外枠部(2) の所定位置に取り付ける。この取り付け状態においては、回動軸(35)は水平に位置し、傾斜溝(20a)(21a)から不用意に抜け落ちることがない。このように、この実施の形態のものでは、下扉(3b)をブラケット(22)に容易に且確実に取り付けることができる。
【００３１】
図９の(a) に示すものは、逆Ｌ字状の切欠部(44)をその水平部分(44a) がブラケット(22)の前方端に開放するように、２つ形成したものであり、前記水平部分(44a) に続く垂直部分(44b) の下端部を上軸孔(20)又は下軸孔(21)とするもので、水平部分(44a) 及び垂直部分(44b) の幅よりも小さな直径を有する回動軸(35)を下扉(3b)から突設させた構成としたものである。このものでは、回動軸(35)を水平部分(44a) に挿入させれば、回動軸(35)が垂直部分(44b) の上端部に到達した時点で、下扉(3b)の自重により、回動軸(35)はその下端部の上軸孔(20)又は下軸孔(21)に抜止め状態に係合することとなる。
【００３２】
又、これら図８の(a) 及び図９の(a) に示した構成のものによれば、予め回動軸が突設されている下扉(3b)の器具本体への取付が容易となる。軸孔を長孔とした場合のものにおいても、前記長孔を、例えば、その上端で外方に開放する構成とすれば、予め扉側に回動軸を取り付けておいても、前記扉の器具本体への取り付け及び上下位置の移動が容易に行える。
【００３３】
又、上記各実施の形態では、軸孔を長孔(28)とする場合を除いて、２つの軸孔（上軸孔(20)と下軸孔(21)）を設ける構成としたが、軸孔は上下方向に複数個形成されていても良い。こうした場合、長孔(28)を形成した場合のように、下扉(3b)とコンクリート面(5) との隙間(S) の大きさを微調整することができる。又、複数個設けた軸孔を、図４や図５に示したように、縦溝と横溝とにより連通させることも可能である。
【００３４】
又、上記各実施の形態では、軸孔をブラケット(22)に形成し、軸孔のどちらかに挿通させる回動軸(35)を下扉(3b)から突出させる構成としたが、前記軸孔を下扉(3b)に形成し、回動軸(35)をブラケット(22)から突設させる構成としても良い。尚、この場合、図８の(a) は(b) のように、及び、図９の(a) は(b) のようになる。
【００３５】
ネジ軸(36)を螺合させて取り付ける形式のものも同様に、軸孔を下扉(3b)に、螺孔(34)をブラケット(22)に設け、ネジ軸(36)を下扉(3b)側から螺合させても良い。
【図面の簡単な説明】
【図１】本発明の第１番目の実施の形態の床置型調理器の蹴込み部を被覆する扉の構造を示す、内部構造を省略した断面図。
【図２】  (a) は、本発明の実施の形態における下扉を上に位置する取付位置で取り付けた状態を示し、(b) は、前記下扉を下に位置する取付位置で取り付けた状態を示す要部断面図。
【図３】回動軸と軸孔の変形例を示す要部斜視図。
【図４】軸孔を連通させた状態を示す斜視図。
【図５】軸孔を連通させた状態の他の例を示す説明図。
【図６】軸孔の変形例を示す斜視図。
【図７】(a) から(d) は、それぞれ長孔内で軸を固定させるための位置決め手段のバリエーションを示す説明図。
【図８】軸孔とそれに係合する回動軸との関係を示す他の例の説明図であり、(a) では前記軸孔をブラケットに形成し、(b) では前記軸孔を下扉に形成している。
【図９】軸孔とそれに係合する回動軸との関係を示すさらに他の例の説明図であり、(a) では前記軸孔をブラケットに形成し、(b) では前記軸孔を下扉に形成している。
【図１０】従来のシステムキッチンに組み込まれた床置型調理器の説明図。
【図１１】床置型調理器をコンクリート面に設置した状態を示す説明図。
【図１２】コンクリート面を隠蔽するために従来使用していた保護カバーの説明図。
【符号の説明】
(1) ・・・・調理器本体
(11)・・・・蹴込み部
(3) ・・・・扉
(3a)・・・・上扉
(3b)・・・・下扉
(20)・・・・上軸孔
(21)・・・・下軸孔
(5) ・・・・設置床面
(50)・・・・フローリング材
(S) ・・・・隙間
尚、各図中同一符号は同一又は相当部分を示す。
【図１】
0003761707.tif 000002
【図２】
0003761707.tif 000003
【図３】
0003761707.tif 000004
【図４】
0003761707.tif 000005
【図５】
0003761707.tif 000006
【図６】
0003761707.tif 000007
【図７】
0003761707.tif 000008
【図８】
0003761707.tif 000009
【図９】
0003761707.tif 000010
【図１０】
0003761707.tif 000011
【図１１】
0003761707.tif 000012
【図１２】
0003761707.tif 000013